【手続補正書】
【提出日】平成19年8月7日(2007.8.7)
【手続補正１】
【補正対象書類名】明細書
【補正対象項目名】特許請求の範囲
【補正方法】変更
【補正の内容】
【特許請求の範囲】
【請求項１】  電子機器に接続された情報処理装置によって実行される電子機器のソフトウエアのバージョンアップ方法において、
前記ソフトウエアをバージョンアップするために必要なプログラムを入手する入手工程と、
前記情報処理装置に所定のパスワードが入力されたか否か判別する判別工程と、
前記所定のパスワードが入力された場合に、前記プログラムをさらに前記電子機器にダウンロードして前記電子機器のソフトウエアをバージョンアップするバージョンアップ工程とを有することを特徴とする電子機器のソフトウエアのバージョンアップ方法。
【請求項２】  前記所定のパスワードは、個々の前記電子機器に固有のシリアルコードであることを特徴とする請求項１記載の電子機器のソフトウエアのバージョンアップ方法。
【請求項３】  前記電子機器はカレンダ機能を備え、前記所定のパスワードは暗号化された日時であり、該所定のパスワードと前記カレンダ機能が刻む日時とが一致した場合に、前記電子機器への前記プログラムのダウンロードを許可することを特徴とする請求項１記載の電子機器のソフトウエアのバージョンアップ方法。
【請求項４】  電子機器のソフトウエアのバージョンアップ方法を実行する、前記電子機器に接続された情報処理装置において、
前記ソフトウエアをバージョンアップするために必要なプログラムを入手する入手手段と、
パスワードを入力する入力手段と、
前記入力手段により所定のパスワードが入力された場合に、前記プログラムを前記電子機器にダウンロードして前記電子機器のソフトウエアをバージョンアップするバージョンアップ手段とを備えたことを特徴とする情報処理装置。
【請求項５】  前記所定のパスワードは、個々の前記電子機器に固有のシリアルコードであることを特徴とする請求項４記載の情報処理装置。
【請求項６】  前記電子機器はカレンダ機能を備え、前記所定のパスワードは暗号化された日時であり、該所定のパスワードと前記カレンダ機能が刻む日時とが一致した場合に、前記電子機器への前記プログラムのダウンロードを許可することを特徴とする請求項４記載の情報処理装置。
【請求項７】  電子機器のソフトウエアのバージョンアップ方法を実行するプログラムを記憶したコンピュータ読み出し可能な記憶媒体であって、前記ソフトウエアをバージョンアップするために必要なバージョンアッププログラムを入手する入手モジュールと、所定のパスワードが入力された場合に、前記バージョンアッププログラムをさらに前記電子機器にダウンロードして前記電子機器のソフトウエアをバージョンアップするバージョンアップモジュールとからなるプログラムを記憶したことを特徴とする記憶媒体。
【請求項８】  前記所定のパスワードは、個々の前記電子機器に固有のシリアルコードであることを特徴とする請求項７記載の電子機器の記憶媒体。
【請求項９】  前記電子機器はカレンダ機能を備え、前記所定のパスワードは暗号化された日時であり、該所定のパスワードと前記カレンダ機能が刻む日時とが一致した場合に、前記電子機器への前記プログラムのダウンロードを許可することを特徴とする請求項７記載の記憶媒体。
【手続補正２】
【補正対象書類名】明細書
【補正対象項目名】０００９
【補正方法】変更
【補正の内容】
【０００９】
【課題を解決するための手段】
上記目的を達成するために、請求項１の電子機器のソフトウエアのバージョンアップ方法は、電子機器に接続された情報処理装置によって実行される電子機器のソフトウエアのバージョンアップ方法において、前記ソフトウエアをバージョンアップするために必要なプログラムを入手する入手工程と、前記情報処理装置に所定のパスワードが入力されたか否か判別する判別工程と、前記所定のパスワードが入力された場合に、前記プログラムをさらに前記電子機器にダウンロードして前記電子機器のソフトウエアをバージョンアップするバージョンアップ工程とを有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
上記目的を達成するために、請求項４記載の情報処理装置は、電子機器のソフトウエアのバージョンアップ方法を実行する、前記電子機器に接続された情報処理装置において、前記ソフトウエアをバージョンアップするために必要なプログラムを入手する入手手段と、パスワードを入力する入力手段と、前記入力手段により所定のパスワードが入力された場合に、前記プログラムを前記電子機器にダウンロードして前記電子機器のソフトウエアをバージョンアップするバージョンアップ手段とを備えたことを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
上記目的を達成するために、請求項７記載の記憶媒体は、電子機器のソフトウエアのバージョンアップ方法を実行するプログラムを記憶したコンピュータ読み出し可能な記憶媒体であって、前記ソフトウエアをバージョンアップするために必要なバージョンアッププログラムを入手する入手モジュールと、所定のパスワードが入力された場合に、前記バージョンアッププログラムをさらに前記電子機器にダウンロードして前記電子機器のソフトウエアをバージョンアップするバージョンアップモジュールとからなるプログラムを記憶したことを特徴とする。
【手続補正１３】
【補正対象書類名】明細書
【補正対象項目名】００２３
【補正方法】変更
【補正の内容】
【００２３】
情報処理装置４０はインターネットなどのネットワーク５０に接続されている。この情報処理装置４０はデジタル複写機２０をバージョンアップするために必要なプログラム（以下、バージョンアッププログラムと記す）を、ネットワーク５０を通じてダウンロードすることによって入手する（入手手段）。また、このバージョンアッププログラムは電話回線を介したオンラインによってダウンロードしてもよい。さらに、該バージョンアッププログラムを格納したＦＤ（ｆｌｏｐｐｙ（登録商標）ｄｉｓｋ：フロッピー（登録商標）ディスク）やＣＤ（ｃｏｍｐａｃｔ  ｄｉｓｋ：コンパクトディスク）などの記憶媒体６０を取得することによってバージョンアッププログラムを入手してもよい（入手手段）。
【手続補正１４】
【補正対象書類名】明細書
【補正対象項目名】００３３
【補正方法】変更
【補正の内容】
【００３３】
図３において、まず、情報処理装置４０のダウンロードアプリケーションを起動する（ステップＳ７１）。通常、ダウンロードアプリケーションは同一メーカであれば各種製品で共通なため、製品名を選択すると共に既に入手してあるシリアルコードを情報処理装置４０に入力する（ステップＳ７２）。同様に日時パスワードを情報処理装置４０に入力し（ステップＳ７３）、次に、予め取得しておいたバージョンアッププログラムの中から所望のプログラムを選択し（ステップＳ７４）、ダウンロードの準備を開始する（ステップＳ７５）。
【手続補正１５】
【補正対象書類名】明細書
【補正対象項目名】００４１
【補正方法】変更
【補正の内容】
【００４１】
【発明の効果】
以上詳細に説明したように、請求項１記載の電子機器のソフトウエアのバージョンアップ方法、請求項４記載の情報処理装置、及び請求項７記載の記憶媒体によれば、電子機器のバージョンアップに必要なプログラムを電子機器にダウンロードする際、所定のパスワードの入力が必要であるので、プログラムの不正なダウンロードが防止できる。また、バージョンアップする正規な権利を有するユーザは、正しいパスワードを入力することによって、速やかにバージョンアップできる。
【手続補正１６】
【補正対象書類名】明細書
【補正対象項目名】００４２
【補正方法】変更
【補正の内容】
【００４２】
請求項２記載の電子機器のソフトウエアのバージョンアップ方法、請求項５の情報処理装置、及び請求項８記載の記憶媒体によれば、所定のパスワードは、個々の電子機器に固有のシリアルコードであるので、パスワードが盗まれる可能性が低い。このため、電子機器のソフトウエアのバージョンアップに必要なプログラムが不正にダウンロードされることをよりよく防止できる。
【手続補正１７】
【補正対象書類名】明細書
【補正対象項目名】００４３
【補正方法】変更
【補正の内容】
【００４３】
請求項３記載の電子機器のソフトウエアのバージョンアップ方法、請求項６の情報処理装置、及び請求項９記載の記憶媒体によれば、所定のパスワードは暗号化された日時であり、このパスワードが示す日時と電子機器に備えられたカレンダ機能が刻む日時とが一致した場合に、前記電子機器への前記プログラムのダウンロードが許可される。このため、プログラムの不正なダウンロードをさらによりよく防止できる。
【手続補正１８】
【補正対象書類名】明細書
【補正対象項目名】００４４
【補正方法】削除
【補正の内容】
【手続補正１９】
【補正対象書類名】明細書
【補正対象項目名】００４５
【補正方法】削除
【補正の内容】